(57)【要約】【課題】建築板の連結構造を安定させる。【解決手段】オス側連結部１００は、第一傾斜角度α（１）を備えるように外装面１１００から裏面側へ折り曲げられて形成された第一傾斜面１１０と、第一傾斜面１１０とは平行でない第三傾斜角度α（３）を備えるように、第一傾斜面１１０から折り曲げられて形成された第三傾斜面１３０とを有し、メス側連結部２００は、第一傾斜角度α（１）に対応する第二傾斜角度α（２）を備えるように外装面１１００から裏面側へ折り曲げられて形成された第二傾斜面２２０と、第三傾斜角度α（３）に対応する第四傾斜角度α（４）を備えるように、第二傾斜面２２０から折り曲げられて形成された第四傾斜面２４０とを有する。建築板１０００どうしを連結した際に、第一傾斜面１１０に第二傾斜面２２０が面接触するとともに、第三傾斜面１３０に第四傾斜面２４０が面接触する。【選択図】図２
2019163656.tif 000002
【特許請求の範囲】
【請求項１】
矩形状の外装面を備え、前記矩形状の長手方向または短手方向の一端側および他端側にオスメス連結構造を有する建築板であって、前記建築板は平面状の金属板を前記オスメス連結構造を含めて所定の形状に折り曲げて形成され、
前記オスメス連結構造について前記外装面に垂直な断面を見て、
前記一端側に、
第一傾斜角度を備えるように前記外装面から裏面側へ折り曲げられて形成された第一傾斜面と、
前記第一傾斜面とは平行でない第三傾斜角度を備えるように、前記第一傾斜面から折り曲げられて形成された第三傾斜面とを備えたオス側連結部を有し、
前記他端側に、
前記第一傾斜角度に対応する第二傾斜角度を備えるように前記外装面から裏面側へ折り曲げられて形成された第二傾斜面と、
前記第二傾斜面とは平行でなく前記第三傾斜角度に対応する第四傾斜角度を備えるように、前記第二傾斜面から折り曲げられて形成された第四傾斜面とを備えたメス側連結部を有し、
前記オスメス連結構造を用いて前記建築板どうしを連結した際に、前記第一傾斜面に前記第二傾斜面が面接触するとともに、前記第三傾斜面に前記第四傾斜面が面接触するように形成したことを特徴とする建築板。
【請求項２】
前記オスメス連結構造を用いて前記建築板どうしを連結した際に、前記第一傾斜面と前記第三傾斜面との間に形成されるオス側第一屈曲部と、前記第二傾斜面と前記第四傾斜面との間に形成されるメス側第一屈曲部とが嵌合することを特徴とする、請求項１に記載の建築板。
【請求項３】
前記オス側第一屈曲部と前記メス側第一屈曲部とが空間を介して嵌合することを特徴とする、請求項２に記載の建築板。
【請求項４】
前記オス側連結部は、前記第一傾斜面および前記第三傾斜面の少なくともいずれかと平行でない第五傾斜角度を備えるように、前記第三傾斜面から折り曲げられて形成された第五傾斜面をさらに備え、
前記メス側連結部は、前記第二傾斜面および前記第四傾斜面の少なくともいずれかと平行でなく第五傾斜角度に対応する第六傾斜角度を備えるように、前記第四傾斜面から折り曲げられて形成された第六傾斜面をさらに備え、
前記オスメス連結構造を用いて前記建築板どうしを連結した際に、前記第五傾斜面に前記第六傾斜面が面接触することを特徴とする、請求項１〜請求項３のいずれかに記載の建築板。
【請求項５】
前記第五傾斜面および前記第六傾斜面は、前記外装面に略垂直な面を形成することを特徴とする、請求項４に記載の建築板。
【請求項６】
前記オスメス連結構造を用いて前記建築板どうしを連結した際に、前記第三傾斜面と前記第五傾斜面との間に形成されるオス側第二屈曲部と、前記第四傾斜面と前記第六傾斜面との間に形成されるメス側第二屈曲部とが嵌合することを特徴とする、請求項４または請求項５に記載の建築板。
【請求項７】
前記オス側第二屈曲部と前記メス側第二屈曲部とが空間を介して嵌合することを特徴とする、請求項６に記載の建築板。
【請求項８】
前記オス側連結部は、前記オス側第一屈曲部により形成される角度と前記オス側第二屈曲部により形成される角度とが異なり、
前記メス側連結部は、前記メス側第一屈曲部により形成される角度と前記メス側第二屈曲部により形成される角度とが異なることを特徴とする、請求項４〜請求項７のいずれかに記載の建築板。
【請求項９】
前記メス側連結部は、前記第六傾斜面から折り曲げられて形成されたＵ字状のメス側ガイド部をさらに備え、
前記オス側連結部は、前記メス側ガイド部に挿入されるオス側ガイド部をさらに備え、
前記オスメス連結構造を用いて前記建築板どうしを連結した際に、前記メス側ガイド部に前記オス側ガイド部が挿入されることを特徴とする、請求項４〜請求項８のいずれかに記載の建築板。
【発明の詳細な説明】
【技術分野】
【０００１】
本発明は、建築物（構築物を含む）に用いる建築板に関し、特に、外装面の端部に雄雌（オスメスと記載する場合がある）連結構造を有する矩形状（長尺状を含む）の建築板であって連結構造が安定する等の特徴を備えた建築板に関する。なお、本発明に係る建築板は、その長尺方向（矩形状における長手方向）は垂直方向（縦方向）で使用される場合にも水平方向（横方向）で使用される場合にも限定されないとともに、使用部位は外装部分の外壁にも屋根にも内装部分の間仕切壁にも天井板にも（その他にも）限定されるものではない。
【背景技術】
【０００２】
工場、倉庫、住宅等の建築物の屋根、外壁、間仕切り壁等を、複数の矩形状のパネルを横方向に接合して構築する場合がある。このようなパネル工法は、簡易な施工、コスト削減および施工期間の短縮化等が可能であるという利点を有している。パネル工法に用いる建材パネルとしては、木製板、金属板、ＰＣ板等が挙げられる。また、薄い（たとえば厚さ０．４ｍｍ）金属板からなる外装面と金属箔からなる裏面カバーとの間に充填材を充填した金属パネルや、２枚の薄い（たとえば厚さ０．４ｍｍ）金属板の間に板状の断熱材を挟んだ金属（サンドイッチ）パネルは、軽量でありながら高い強度、耐久性および断熱性を有しているため、その採用が広まっている。
【０００３】
このような金属パネルは、一般的に、金属製板材をロール成形、プレス成形等して加工し、化粧面に凹凸を形成した外装材（本発明に係る建築板に相当）として数多く製造販売されている。このような化粧面に連続した凹凸部を形成した長尺状の外装材において、この化粧面の端部に有する雄雌連結構造により互いに連結される場合に外観上連結されている箇所（連結部）が目立ちにくく、高級感のある外装材を特開２０１０−０１９００８号公報（特許文献１）は、開示する。
【０００４】
この特許文献１に開示された外装材は、化粧面の上下端部に雄雌連結構造を有し、化粧面には左右方向に連続した凹凸部を形成した長尺状の外装材において、化粧面の下端には裏面側に屈曲した側壁と、該側壁の先端を上方に屈曲した上片と、側壁と上片間を裏面側へ突出した嵌合突起と、上片の先端を下方に屈曲した係合片と、上片と係合片とからなる係合溝とから雄型連結部を形成し、化粧面の上端には裏面側に屈曲した側壁と、該側壁の先端を上方に屈曲した目地底面と、該目地底面の途中を裏面側へ突出した嵌合窪部と、目地底面の先端を内方に傾斜して屈曲した傾斜下面と、目地底面と傾斜下面とからなる嵌合片と、傾斜下面の先端を上方に屈曲して突出した固定面とからなる雌型連結部とから形成し、外装材同士を連結した際に係合片の先端が嵌合片の傾斜下面に線接触するように形成するとともに、嵌合突起と嵌合窪部が嵌合するように形成したことを特徴とする。
【０００５】
この特許文献１に開示された外装材によると、係合片の先端が嵌合片の傾斜下面に線接触するように形成されるとともに、嵌合突起と嵌合窪部が嵌合するように形成されているために連結部に間隙が形成されず、（１）連結部と化粧面の一般部の凹部との外観形状の差を小さくできるために、見分けが付かず、（２）一定幅の外装材を複数枚張り上げて形成した壁であることが外観上判らず、外装面全体が１枚の面として形成できるために、高級感のある外装を形成でき、（３）係合片の先端が嵌合片の傾斜下面に線接触するように形成される時のスプリングバックにより、雄型連結部と雌型連結部との嵌合部が外れることがなく目地幅の精度の向上と施工性が向上し、（４）防水性が向上する等の特徴、効果がある。
【先行技術文献】
【特許文献】
【０００６】
【特許文献１】特開２０１０−０１９００８号公報
【発明の概要】
【発明が解決しようとする課題】
【０００７】
しかしながら、上述した特許文献１に開示された外装材においては、係合片の先端が嵌
合片の傾斜下面に線接触するように形成されているにすぎず、連結構造の安定性に欠ける可能性があった。
本発明は、従来技術の上述の問題点に鑑みて開発されたものであり、その目的とするところは、建築物（構築物を含む）に用いる建築板であって、連結構造が安定するとともに、連結部における外装面（化粧面）が平坦な場合であっても複数の建築板を張り上げて形成した建物面（屋根、外壁等）であることが外観上判りづらく、雄型連結部と雌型連結部との嵌合部の施工性が容易で、かつ、施工後は嵌合部が外れにくく、防水性が向上する、建築板を提供することである。
【課題を解決するための手段】
【０００８】
上記目的を達成するため、本発明に係る建築板は以下の技術的手段を講じている。
すなわち、本発明に係る建築板は、矩形状の外装面を備え、前記矩形状の長手方向または短手方向の一端側および他端側にオスメス連結構造を有する建築板であって、前記建築板は平面状の金属板を前記オスメス連結構造を含めて所定の形状に折り曲げて形成され、前記オスメス連結構造について前記外装面に垂直な断面を見て、前記一端側に、第一傾斜角度を備えるように前記外装面から裏面側へ折り曲げられて形成された第一傾斜面と、前記第一傾斜面とは平行でない第三傾斜角度を備えるように、前記第一傾斜面から折り曲げられて形成された第三傾斜面とを備えたオス側連結部を有し、前記他端側に、前記第一傾斜角度に対応する第二傾斜角度を備えるように前記外装面から裏面側へ折り曲げられて形成された第二傾斜面と、前記第二傾斜面とは平行でなく前記第三傾斜角度に対応する第四傾斜角度を備えるように、前記第二傾斜面から折り曲げられて形成された第四傾斜面とを備えたメス側連結部を有し、前記オスメス連結構造を用いて前記建築板どうしを連結した際に（連結した後に）、前記第一傾斜面に前記第二傾斜面が面接触するとともに、前記第三傾斜面に前記第四傾斜面が面接触するように形成したことを特徴とする。
【０００９】
好ましくは、前記オスメス連結構造を用いて前記建築板どうしを連結した際に、前記第一傾斜面と前記第三傾斜面との間に形成されるオス側第一屈曲部と、前記第二傾斜面と前記第四傾斜面との間に形成されるメス側第一屈曲部とが嵌合するように構成することができる。
さらに好ましくは、前記オス側第一屈曲部と前記メス側第一屈曲部とが空間を介して嵌合するように構成することができる。
【００１０】
さらに好ましくは、前記オス側連結部は、前記第一傾斜面および前記第三傾斜面の少なくともいずれかと平行でない第五傾斜角度を備えるように、前記第三傾斜面から折り曲げられて形成された第五傾斜面をさらに備え、前記メス側連結部は、前記第二傾斜面および前記第四傾斜面の少なくともいずれかと平行でなく第五傾斜角度に対応する第六傾斜角度を備えるように、前記第四傾斜面から折り曲げられて形成された第六傾斜面をさらに備え、前記オスメス連結構造を用いて前記建築板どうしを連結した際に、前記第五傾斜面に前記第六傾斜面が面接触するように構成することができる。
【００１１】
さらに好ましくは、前記第五傾斜面および前記第六傾斜面は、前記外装面に略垂直な面を形成するように構成することができる。
さらに好ましくは、前記オスメス連結構造を用いて前記建築板どうしを連結した際に、前記第三傾斜面と前記第五傾斜面との間に形成されるオス側第二屈曲部と、前記第四傾斜面と前記第六傾斜面との間に形成されるメス側第二屈曲部とが嵌合するように構成することができる。
【００１２】
さらに好ましくは、前記オス側第二屈曲部と前記メス側第二屈曲部とが空間を介して嵌合するように構成することができる。
さらに好ましくは、前記オス側連結部は、前記オス側第一屈曲部により形成される角度と前記オス側第二屈曲部により形成される角度とが異なり、前記メス側連結部は、前記メス側第一屈曲部により形成される角度と前記メス側第二屈曲部により形成される角度とが異なるように構成することができる。
【００１３】
さらに好ましくは、前記メス側連結部は、前記第六傾斜面から折り曲げられて形成されたＵ字状のメス側ガイド部をさらに備え、前記オス側連結部は、前記メス側ガイド部に挿入されるオス側ガイド部をさらに備え、前記オスメス連結構造を用いて前記建築板どうしを連結した際に、前記メス側ガイド部に前記オス側ガイド部が挿入されるように構成することができる。
【発明の効果】
【００１４】
本発明によると、建築物（構築物を含む）に用いる建築板であって、連結構造が安定するとともに、連結部における外装面（化粧面）が平坦な場合であっても複数の建築板を張り上げて形成した建物面（屋根、外壁等）であることが外観上判りづらく、雄型連結部と雌型連結部との嵌合部の施工性が容易で、かつ、施工後は嵌合部が外れにくく、防水性が向上する、建築板を提供することができる。
【図面の簡単な説明】
【００１５】
【図１】本発明の実施の形態に係る建築板についての（Ａ）断面構造を示す図、（Ｂ）その建築板を連結した建物面部分の断面構造を示す図である。
【図２】図１における建築板のオスメス連結構造の詳細な断面図である。
【図３】図２における建築板のオス側連結部を示す詳細な断面図である。
【図４】図２における建築板のメス側連結部を示す詳細な断面図である。
【図５】本発明の実施の形態に係る建築板であって（Ａ）外装面凹凸柄形状の建築板を示す断面図、（Ｂ）外装面フラット形状の建築板を示す断面図である。
【図６】本発明の実施の形態に係る建築板において（Ａ）シール材を設置する位置を説明するための断面図、（Ｂ）水分浸入経路を説明するための断面図である。
【図７】本発明の実施の形態に係る建築板を屋根材として使用する態様を説明するための図（その１）である。
【図８】本発明の実施の形態に係る建築板を屋根材として使用する態様を説明するための図（その２）である。
【図９】本発明の実施の形態に係る建築板を屋根材として使用する態様を説明するための図（その３）である。
【図１０】本発明の実施の形態に係る建築板を屋根材として使用する態様を説明するための図（その４）である。
【図１１】本発明の実施の形態に係る建築板を屋根材として使用する態様を説明するための図（その５）である。
【図１２】本発明の実施の形態に係る建築板を外壁材として使用する態様を説明するための図（その１）である。
【図１３】本発明の実施の形態に係る建築板を外壁材として使用する態様を説明するための図（その２）である。
【図１４】本発明の実施の形態に係る建築板を外壁材として使用する態様を説明するための図（その３）である。
【図１５】本発明の実施の形態に係る建築板を外壁材として使用する態様を説明するための図（その４）である。
【発明を実施するための形態】
【００１６】
以下、本発明に係る建築板１０００を本発明の実施の形態として、図面に基づき詳しく説明する。この建築板１０００は、建築物（構築物を含む）に用いる建築板であって、外装面の端部にオスメス連結構造５００（オス側連結部１００およびメス側連結部２００）を有する矩形状（長尺状を含む）の建築板であって連結構造が安定する等の特徴を備えた建築板である。上述したように、本発明に係る建築板１０００は、その長尺方向（矩形状における長手方向）は垂直方向（縦方向）で使用される場合にも水平方向（横方向）で使用される場合にも限定されないとともに、使用部位は外壁にも屋根にも（その他にも）限定されるものではない。さらに、限定されるものではないが、建築板１０００の概略的な大きさは、長手方向に４０００ｍｍ程度、短手方向に４００ｍｍ程度であって、厚みは１５ｍｍ程度である。
【００１７】
＜建築板の構造＞
図１（Ａ）に建築板１０００についての断面構造を示す図を、図１（Ｂ）に建築板１０００を連結した建物面部分の断面構造を示す図をそれぞれ示す。この図１に示すように、この建築板１０００は、たとえば、長尺方向（矩形状における長手方向）を水平方向（横方向）として、外壁に使用される。なお、以下の説明において、これらの図１（Ａ）および図１（Ｂ）を含める全ての図において、本発明に係る建築板についてのオスメス連結構造を説明する場合には、外装面１１００に垂直な断面を見た場合の構造を記載している。
この建築板１０００は、矩形状の外装面１１００を備え、矩形状の長手方向または短手方向（ここでは短手方向）の一端側および他端側にオスメス連結構造５００を有する。このオスメス連結構造５００は、矩形状の一端側（ここでは下側）に設けられたオス側連結部１００、および、矩形状の他端側（ここでは上側）に設けられたメス側連結部２００を備え、これらのオスメス連結構造５００を用いて建築板１０００どうしが連結される。
【００１８】
この建築板１０００は平面状の金属板をオスメス連結構造５００を含めて所定の形状に折り曲げて形成されている。ここで、この建築板１０００は、金属製薄板材（厚さ０．４ｍｍ程度）、たとえば、鉄、アルミニウム、銅、ステンレス、チタン、アルミ・亜鉛合金メッキ鋼板、ホーロー鋼板、クラッド鋼板、ラミネート鋼板（塩ビ鋼板等）、サンドイッチ鋼板（制振鋼板等）等（これらを各種色調に塗装した金属製カラー板を含む）の一種、または、合成樹脂製板材、たとえば塩化ビニル樹脂、ポリカーボネイト樹脂等（これらを各種色調に塗装した合成樹脂製カラー板を含む）の一種を、ロール成形、プレス成形、押出成形、切り欠き加工等によって各種形状に成形したものである。また、材料や成形方法によっては裏面側が開放されるため、金属箔、たとえば、アルミ箔、銅箔等、または、ガラス繊維シート、合成樹脂シート等のシート材からなる裏面カバー１２００を設けても良い。そして、この建築板１０００の内部（オス側連結部１００及びメス側連結部２００を含む屋外側を形成する金属製薄板材と屋内側を形成するアルミ箔との間隙）には、硬質イソシアヌレートフォーム（硬質ウレタンフォームの一種）等が充填されている。
【００１９】
図１に加えて、図２（Ａ）および図２（Ｂ）に示すこの建築板１０００を連結した場合のオスメス連結構造５００の詳細な断面図、図３に示す建築板１０００のオス側連結部１００を示す詳細な断面図、および、図４に示す建築板１０００のメス側連結部２００を示す詳細な断面図を参照して、この建築板１０００が備える技術的特徴について大略的に説明する。
【００２０】
これらの図１〜図４に示すように、この建築板１０００におけるオスメス連結構造５００は、以下のような構造を備える。なお、以下において、角度を含めて、オスメス連結構造については、外装面１１００に垂直な断面を見た場合の構造を記載している。また、傾斜角度の基準線は、上述した外装面１１００に垂直な断面における、建築板１０００の外装面１１００の断面線に略平行な線であって、図２（Ａ）および図２（Ｂ）において１点鎖線で示される線である。また、図２（Ａ）および図２（Ｂ）に記載した建築板１０００の長手方向を示す一組の記号は、紙面の表裏方向を示す記号であって、他の図においてもこの一組の記号は紙面の表裏方向を示す。
【００２１】
この建築板１０００は、矩形状の短手方向の一端側（限定されるものではないがここでは下側）にオス側連結部１００を備える。このオス側連結部１００は、図２（Ａ）および図２（Ｂ）ならびに図３に示すように、第一傾斜角度α（１）を備えるように外装面１１００から裏面側へ折り曲げられて形成された第一傾斜面１１０と、第一傾斜面１１０とは平行でない第三傾斜角度α（３）を備えるように、第一傾斜面１１０から折り曲げられて形成された第三傾斜面１３０とを備える。この建築板１０００は、矩形状の短手方向の他端側（限定されるものではないがここでは上側）にメス側連結部２００を備える。このメス側連結部２００は、図２（Ａ）および図２（Ｂ）ならびに図４に示すように、第一傾斜角度α（１）に対応する第二傾斜角度α（２）を備えるように外装面１１００から裏面側へ折り曲げられて形成された第二傾斜面２２０と、第二傾斜面２２０とは平行でなく第三傾斜角度α（３）に対応する第四傾斜角度α（４）を備えるように、第二傾斜面２２０から折り曲げられて形成された第四傾斜面２４０とを備える。
【００２２】
そして、図２（Ａ）および図２（Ｂ）に示すようにオスメス連結構造５００を用いて建築板１０００どうしを連結した際に（連結した後に）、第一傾斜面１１０に第二傾斜面２２０が面接触するとともに、第三傾斜面１３０に第四傾斜面２４０が面接触するように形成される。
なお、図２（Ａ）に示す断面図においては、第三傾斜角度α（３）および第四傾斜角度α（４）は、略０度であって（α（３）≒α（４）≒０）、第三傾斜角度α（３）および第四傾斜角度α（４）の傾斜は、外装面１１００と略平行になる。しかしながら、本発明に係る建築板においては、このように限定されるものではなく、図２（Ｂ）の断面図に示すように、第三傾斜角度α（３）および第四傾斜角度α（４）の傾斜は、外装面１１００と略平行ではなく、第三傾斜角度α（３）および第四傾斜角度α（４）は、略５度（α（３）≒α（４）≒５度）等であっても構わない。図２（Ｂ）の断面図に示すような方向（メス側連結部２００の方向が低くなる方向）に傾斜させると、屋外側から屋内側への水の浸入を効果的に防止することができる。
【００２３】
さらに、このオスメス連結構造５００を用いて建築板１０００どうしを連結した際に、第一傾斜面１１０と第三傾斜面１３０との間に形成されるオス側第一屈曲部１２０と、第二傾斜面２２０と第四傾斜面２４０との間に形成されるメス側第一屈曲部２３０とが嵌合する。より詳しくは、オス側第一屈曲部１２０が、メス側第一屈曲部２３０へ挿入されて、オス側第一屈曲部１２０とメス側第一屈曲部２３０とが嵌合する。
このオス側第一屈曲部１２０とメス側第一屈曲部２３０とが嵌合する場合において、オス側第一屈曲部１２０とメス側第一屈曲部２３０とが空間Ｓ（１）を介して嵌合する。
【００２４】
さらに、このオスメス連結構造５００におけるオス側連結部１００は、第一傾斜面１１０および第三傾斜面１３０の少なくともいずれかと平行でない（ここでは第一傾斜面１１０および第三傾斜面１３０の双方と平行でない）第五傾斜角度α（５）を備えるように、第三傾斜面１３０から折り曲げられて形成された第五傾斜面１５０をさらに備える。このオスメス連結構造５００におけるメス側連結部２００は、第二傾斜面２２０および第四傾斜面２４０の少なくともいずれかと平行でなく（ここでは第二傾斜面２２０および第四傾斜面２４０の双方と平行でない）第五傾斜角度α（５）に対応する第六傾斜角度α（６）を備えるように、第四傾斜面２４０から折り曲げられて形成された第六傾斜面２６０をさらに備える。
【００２５】
そして、図２に示すようにオスメス連結構造５００を用いて建築板１０００どうしを連結した際に、第五傾斜面１５０に第六傾斜面２６０が面接触する。
ここで、この第五傾斜面１５０および第六傾斜面２６０は、外装面１１００（傾斜角度基準線）に略垂直な面を形成する。すなわち、第五傾斜角度α（５）および第六傾斜角度α（６）の傾斜角度は、外装面１１００を基準として略９０度となる。
【００２６】
さらに、このオスメス連結構造５００を用いて建築板１０００どうしを連結した際に、第三傾斜面１３０と第五傾斜面１５０との間に形成されるオス側第二屈曲部１４０と、第四傾斜面２４０と第六傾斜面２６０との間に形成されるメス側第二屈曲部２５０とが嵌合する。より詳しくは、メス側第二屈曲部２５０がオス側第二屈曲部１４０へ挿入されて、オス側第二屈曲部１４０とメス側第二屈曲部２５０とが嵌合する。
【００２７】
このオス側第二屈曲部１４０とメス側第二屈曲部２５０とが嵌合する場合において、オス側第二屈曲部１４０とメス側第二屈曲部２５０とが空間Ｓ（２）を介して嵌合する。
さらに、オス側連結部１００において、オス側第一屈曲部１２０により形成される角度β（１）とオス側第二屈曲部１４０により形成される角度β（２）とが異なり、メス側連結部２００において、メス側第一屈曲部２３０により形成される角度β（３）とメス側第二屈曲部２５０により形成される角度β（４）とが異なる。
【００２８】
なお、図２（Ａ）（ならびに図３および図４）に示す断面図においては、オス側連結部１００においてオス側第一屈曲部１２０により形成される角度β（１）とメス側連結部２００においてメス側第一屈曲部２３０により形成される角度β（３）とはともに略４５度であって、オス側連結部１００においてオス側第二屈曲部１４０により形成される角度β（２）とメス側連結部２００においてメス側第二屈曲部２５０により形成される角度β（４）とはともに略３０度である。しかしながら、本発明に係る建築板においては、このように限定されるものではなく、図２（Ｂ）の断面図に示すように、第三傾斜角度α（３）および第四傾斜角度α（４）を略５度（α（３）≒α（４）≒５度）に傾斜させた関係で、オス側連結部１００においてオス側第一屈曲部１２０により形成される角度β（１）とメス側連結部２００においてメス側第一屈曲部２３０により形成される角度β（３）とはともに略４０度としても構わない。この場合であっても、オス側第一屈曲部１２０により形成される角度β（１）とオス側第二屈曲部１４０により形成される角度β（２）とが異なり、メス側第一屈曲部２３０により形成される角度β（３）とメス側第二屈曲部２５０により形成される角度β（４）とが異なることには違いない。
【００２９】
さらに、このオスメス連結構造５００におけるメス側連結部２００は、第六傾斜面２６０から折り曲げられて形成されたＵ字状のメス側ガイド部Ｕをさらに備え、このオスメス連結構造５００におけるオス側連結部１００は、メス側ガイド部Ｕに挿入されるオス側ガイド部Ｇをさらに備える。そして、このオスメス連結構造５００を用いて建築板１０００どうしを連結した際に、このメス側ガイド部Ｕにオス側ガイド部Ｇが挿入される。
以上のように、建築板１０００はこのような特徴的な構造を備える。以下において、さらに詳しく建築板１０００について説明する。
【００３０】
なお、図１（Ａ）および図１（Ｂ）に示す建築板１０００は、図５（Ａ）に示すようにその外装面１１００の表面が凹凸形状（凸部１０１０と凹部１０２０とが連続する形状）であって主として外壁に使用され（外壁以外に使用されても構わない）、建築板１０００どうしを連結するオスメス連結構造５００（オス側連結部１００およびメス側連結部２００）によっても他の部分と同じように表面が凹凸形状に形成され（より詳しくはオスメス連結構造５００により凹部１０３０が形成され）連結部が目立ちにくい構造を備える。なお、図１における凹凸形状と図５（Ａ）における凹凸形状とは異なるものであり、図１の凹凸形状は、メス側連結部２００の外装面１１００の高さ位置と凸部１０１０の上面の高さ位置とが同一平面にあり、図５（Ａ）の凹凸形状は、メス側連結部２００の外装面１１００の高さ位置と凹部１０２０の底面の高さ位置とが同一平面にある。このような規則的に同じ凹凸形状が繰り返される表面意匠以外であっても構わないが、本発明に係る建築板はオスメス連結構造５００（オス側連結部１００およびメス側連結部２００）によっても連結部が目立ちにくい構造を備える点が好ましい。また、本発明に係る建築板はこのような外装面１１００の表面凹凸形状の表面意匠に限定されるものではなく柄であっても構わない。
【００３１】
さらに、図５（Ｂ）に示す建築板１０５０のように、外装面１１００の表面全体がフラットな形状（平坦な形状）であって主として外壁に加えて屋根に使用され（外壁および屋根以外に使用されても構わない）、建築板１０００どうしを連結するオスメス連結構造５００（オス側連結部１００およびメス側連結部２００）によっても他の部分と同じように表面がフラットな形状（平坦な形状）に形成され連結部が目立ちにくい構造を備えるようにしても構わない。
【００３２】
図５（Ａ）に示す建築板１０００および図５（Ｂ）に示す建築板１０５０のいずれであっても、建築板どうしを連結するオスメス連結構造５００における表面意匠は他の部分の表面意匠と同じように形成され連結部が目立ちにくい構造を備える。
図２（Ａ）および図３に示すように、この建築板１０００が備えるオス側連結部１００は、
・外装面１１００における下側の端部表面を形成する平面１０２と、
・この平面１０２から連続して略直角に曲げられた垂直面１０４と、
・この垂直面１０４から連続して第一傾斜角度α（１）で曲げられた第一傾斜面１１０と、
・第一傾斜面１１０とは平行でない第三傾斜角度α（３）を備えるように、第一傾斜面１１０から折り曲げられて形成された第三傾斜面１３０と、
・第一傾斜面１１０と第三傾斜面１３０との間に形成されるオス側第一屈曲部１２０と、・第一傾斜面１１０および第三傾斜面１３０の少なくともいずれかと平行でない（ここでは第一傾斜面１１０および第三傾斜面１３０の双方と平行でない）第五傾斜角度α（５）を備えるように、第三傾斜面１３０から折り曲げられて形成された第五傾斜面１５０と、
・第三傾斜面１３０と第五傾斜面１５０との間に形成されるオス側第二屈曲部１４０と、・第五傾斜面１５０から連続して第三傾斜面１３０が位置する方向とは逆側の（図面上における）水平方向に略直角に曲げられた水平折り返し面１６０と、
・水平折り返し面１６０から連続して反転するように曲げられた（オス側連結部１００の端部が第三傾斜面１３０が位置する方向とは逆側の（図面上における）垂直方向に向かうように１８０度折り曲げられた）延長面１７０と、
を備える。この延長面１７０が上述したオス側ガイド部Ｇを形成する。
【００３３】
なお、限定されるものではないが、図３に示すように、傾斜角度については、第一傾斜角度α（１）が略４５度、第三傾斜角度α（３）が略０度、第五傾斜角度α（５）が略９０度、屈曲部の角度については、オス側第一屈曲部１２０により形成される角度β（１）が略４５度であって、オス側第二屈曲部１４０により形成される角度β（２）が略３０度であって、角度β（１）と角度β（２）とが異なる。
傾斜角度については、上述したように、第一傾斜面１１０、第三傾斜面１３０および第五傾斜面１５０の３つ全てが互いに平行でないものに限定されるものではなく、これらのうちの２つは平行であっても構わない。すなわち、第一傾斜角度α（１）、第三傾斜角度α（３）および第五傾斜角度α（５）のうちの２つは同じであっても構わない。
次に、図２（Ａ）および図４に示すように、この建築板１０００が備えるメス側連結部２００は、
【００３４】
・外装面１１００における上側の端部表面を形成する平面２０２と、
・この平面２０２から連続して第一傾斜角度α（１）に対応する第二傾斜角度α（２）を備えるように平面２０２から折り曲げられて形成された第二傾斜面２２０と、
・第二傾斜面２２０とは平行でなく第三傾斜角度α（３）に対応する第四傾斜角度α（４）を備えるように、第二傾斜面２２０から折り曲げられて形成された第四傾斜面２４０と、
・第二傾斜面２２０と第四傾斜面２４０との間に形成されるメス側第一屈曲部２３０と、・第二傾斜面２２０および第四傾斜面２４０の少なくともいずれかと平行でなく（ここでは第二傾斜面２２０および第四傾斜面２４０の双方と平行でない）第五傾斜角度α（５）に対応する第六傾斜角度α（６）を備えるように、第四傾斜面２４０から折り曲げられて形成された第六傾斜面２６０と、
・第四傾斜面２４０と第六傾斜面２６０との間に形成されるメス側第二屈曲部２５０と、
・第六傾斜面２６０から連続して第四傾斜面２４０が位置する（図面上における）水平方向に略直角に曲げられた水平折り返し上面２７０と、
・水平折り返し上面２７０とから連続して間隙を開けて反転するように曲げられた（メス側連結部２００の端部が第四傾斜面２４０が位置する方向とは逆側の（図面上における）垂直方向に向かうように１８０度折り曲げられた）水平折り返し下面２８０と、
・水平折り返し下面２８０とから連続して間隙を開けて反転するように曲げられた（メス側連結部２００の端部が第四傾斜面２４０が位置する（図面上における）垂直方向に向かうように１８０度折り曲げられた）反転面２９０と、
を備える。
【００３５】
これらの水平折り返し上面２７０および水平折り返し下面２８０が上述したメス側ガイド部Ｕを形成する。このオスメス連結構造５００を用いて建築板１０００どうしを連結した後に、このメス側ガイド部Ｕに上述したオス側ガイド部Ｇが挿入される。
また、図６（Ａ）を用いて後述するように、この建築板１０００と建築物（構築物を含む）との接合については、限定されるものではないが、オス側連結部１００は接合されないで、メス側連結部２００の水平折り返し下面２８０において接合部材Ｂ（釘、ビス、ボルトとナットとの組み合わせ等）により建築板１０００と建築物（構築物を含む）とが接合される。
【００３６】
なお、限定されるものではないが、図４に示すように、傾斜角度については、第二傾斜角度α（２）が略４５度、第四傾斜角度α（４）が略０度、第六傾斜角度α（６）が略９０度、屈曲部の角度については、メス側第一屈曲部２３０により形成される角度β（３）が略４５度であって、メス側第二屈曲部２５０により形成される角度β（４）が略３０度であって、角度β（３）と角度β（４）とが異なる。
傾斜角度については、上述したように、第二傾斜面２２０、第四傾斜面２４０および第六傾斜面２６０の３つ全てが互いに平行でないものに限定されるものではなく、これらのうちの２つは平行であっても構わない。すなわち、第二傾斜角度α（２）、第四傾斜角度α（４）および第六傾斜角度α（６）のうちの２つは同じであっても構わない。
【００３７】
ここで、図２（Ａ）に示すオスメス連結構造５００と図２（Ｂ）に示すオスメス連結構造５０１との差異は、オスメス連結構造５００においては第三傾斜角度α（３）および第四傾斜角度α（４）の傾斜が外装面１１００と略平行な（α（３）≒α（４）≒０度）第三傾斜面１３０および第四傾斜面２４０に替えて、オスメス連結構造５０１においては第三傾斜角度α（３）および第四傾斜角度α（４）の傾斜がメス側連結部２００の方向が低くなる方向に傾斜させた（α（３）≒α（４）≒５度）第三傾斜面１３１および第四傾斜面２４２を備える点である。
この差異以外についてはオスメス連結構造５００とオスメス連結構造５０１とで同じであるので、ここでの詳細な説明は繰り返さない。
さらに、上述したように、図５（Ａ）に示す建築板１０００におけるオスメス連結構造５００と図５（Ｂ）に示す建築板１０５０におけるオスメス連結構造５００との差異はなく、建築板１０００と建築板１０５０との差異は表面意匠の差異だけであるので、ここでの詳細な説明は繰り返さない。
【００３８】
＜建築板の連結方法および作用効果＞
このような構造を備えたオスメス連結構造５００におけるオス側連結部１００とメス側連結部２００とを用いて建築板１０００どうしを連結する際、および、連結した後（連結した際）におけるオスメス連結構造５００の作用効果について、以下に詳しく説明する。
オス側連結部１００とメス側連結部２００とを用いて建築板１０００どうしを連結した後においては、第一傾斜面１１０に第二傾斜面２２０が面接触するとともに、第三傾斜面１３０に第四傾斜面２４０が面接触するようにオスメス連結構造５００が形成される。このように２箇所で面接触しているために、建築板１０００どうしを連結したときに連結構造が安定するとともに、特に、図５（Ｂ）に示す外装面の表面がフラットな形状（平坦な形状）の建築板１０５０の場合に外装面の表面が揃うので好ましい。すなわち、複数の建築板１０５０を張り上げて形成した外壁、屋根等であることが外観上判りづらい。
【００３９】
特に、このオスメス連結構造５００を用いて建築板１０００どうしを連結する際に（施工時において）、第一傾斜面１１０と第三傾斜面１３０との間に形成されるオス側第一屈曲部１２０と、第二傾斜面２２０と第四傾斜面２４０との間に形成されるメス側第一屈曲部２３０とは、オス側第一屈曲部１２０が、メス側第一屈曲部２３０へ挿入されて、オス側第一屈曲部１２０とメス側第一屈曲部２３０とが嵌合する。このため、このオスメス連結構造５００を用いて建築板１０００どうしを連結する際に、メス側連結部２００の水平折り返し下面２８０において接合部材Ｂにより建築板１０００と建築物（構築物を含む）とが接合された建築板１０００のメス側連結部２００に、他の建築板１０００のオス側連結部１００を建築物の外側から接近させる。より詳しくは、固定された第二傾斜面２２０に第一傾斜面１１０を沿わせて滑らせるようにして、オス側第一屈曲部１２０をメス側第一屈曲部２３０へ挿入させて嵌合させる。このようにオス側第一屈曲部１２０とメス側第一屈曲部２３０とが嵌合することにより、第一傾斜面１１０に第二傾斜面２２０が面接触するとともに、第三傾斜面１３０に第四傾斜面２４０が面接触するようにオスメス連結構造５００が形成されるので、建築板１０００どうしを連結する施工時における作業性（施工性）が容易である。
【００４０】
さらに、このようにオス側第一屈曲部１２０とメス側第一屈曲部２３０とが嵌合する場合において、オス側第一屈曲部１２０とメス側第一屈曲部２３０とが空間Ｓ（１）を介して嵌合する。このため、空間Ｓ（１）は毛細管現象を開放する空間となり、毛細管現象で水分（雨水等）が建築物の外側から内側へ浸入することを抑制することができる。また、この空間Ｓ（１）が排水空間として機能するので、オスメス連結構造５００に水分が滞留
することを抑制することができる。
【００４１】
さらに、オス側連結部１００とメス側連結部２００とを用いて建築板１０００どうしを連結した後においては、第一傾斜面１１０に第二傾斜面２２０が面接触するとともに第三傾斜面１３０に第四傾斜面２４０が面接触して、さらに第五傾斜面１５０に第六傾斜面２６０が面接触するようにオスメス連結構造５００が形成される。このように３箇所で面接触しているために、建築板１０００どうしを連結したときに連結構造がさらに安定するとともに、特に、図５（Ｂ）に示す外装面の表面がフラットな形状（平坦な形状）の建築板１０５０の場合に外装面の表面が揃うので好ましい。すなわち、複数の建築板１０５０を張り上げて形成した外壁、屋根等であることが外観上判りづらい。
【００４２】
さらに、このオスメス連結構造５００を用いて建築板１０００どうしを連結する際に（施工時において）、オス側第一屈曲部１２０がメス側第一屈曲部２３０へ挿入されてオス側第一屈曲部１２０とメス側第一屈曲部２３０とが嵌合することに加えて、メス側第二屈曲部２５０がオス側第二屈曲部１４０へ挿入されて、オス側第二屈曲部１４０とメス側第二屈曲部２５０とが嵌合する。このため、このオスメス連結構造５００を用いて建築板１０００どうしを連結する際に、上述したように、メス側連結部２００の水平折り返し下面２８０において接合部材Ｂにより建築板１０００と建築物（構築物を含む）とが接合された建築板１０００のメス側連結部２００に、他の建築板１０００のオス側連結部１００を建築物の外側から接近させる。より詳しくは、固定された第二傾斜面２２０に第一傾斜面１１０を沿わせて滑らせるようにして、オス側第一屈曲部１２０をメス側第一屈曲部２３０へ挿入させて嵌合させるとともに、メス側第二屈曲部２５０をオス側第二屈曲部１４０へ挿入させて嵌合させる。この場合において、オス側第一屈曲部１２０をメス側第一屈曲部２３０へ挿入させて嵌合させることと、メス側第二屈曲部２５０をオス側第二屈曲部１４０へ挿入させて嵌合させることとは、このオスメス連結構造５００の構造上、ほぼ同じタイミングで実現されることになる。より詳しくは、この建築板１０００の素材である金属製薄板材が備える弾性により、固定された第二傾斜面２２０に第一傾斜面１１０を沿わせて滑らせる際に、オス側第一屈曲部１２０およびオス側第二屈曲部１４０ならびにメス側第一屈曲部２３０およびメス側第二屈曲部２５０が好適に変形して互いに嵌合され、嵌合された後は元の形状に戻り、強く嵌合される。このようにオス側第一屈曲部１２０とメス側第一屈曲部２３０とが嵌合するとともにオス側第二屈曲部１４０とメス側第二屈曲部２５０とが嵌合することにより、第一傾斜面１１０に第二傾斜面２２０が面接触するとともに、第三傾斜面１３０に第四傾斜面２４０が面接触するように（さらに第五傾斜面１５０に第六傾斜面２６０が面接触するように）オスメス連結構造５００が形成されるので、建築板１０００どうしを連結する施工時における作業性（施工性）が容易である。
【００４３】
さらに、このようにオス側第二屈曲部１４０とメス側第二屈曲部２５０とが嵌合する場合において、オス側第二屈曲部１４０とメス側第二屈曲部２５０とが空間Ｓ（２）を介して嵌合する。このため、空間Ｓ（２）は（上述した空間Ｓ（１）と同様に）毛細管現象を開放する空間となり、毛細管現象で水分（雨水等）が建築物の外側から内側へ浸入することを抑制することができる。また、この空間Ｓ（２）が排水空間として機能するので、オスメス連結構造５００に水分が滞留することを抑制することができる。
【００４４】
このように空間Ｓ（１）および空間Ｓ（２）は、建築物の外側から内側へ浸入することを抑制することができたり、オスメス連結構造５００に水分が滞留することを抑制することができたりする。この点で、このオスメス連結構造５００においては、水分浸入防止用のシール材を積極的に用いる必要がない点で好ましい。
ただし、本発明に係る建築板は、この水分浸入の抑制をさらに徹底するための水分浸入防止用のシール材（水密材の１種）を採用することを除外することを意味するものではない。たとえば、図６（Ａ）に示す、シール材設置位置Ｐ（１）、シール材設置位置Ｐ（２）およびシール材設置位置Ｐ（３）等に水分浸入防止用のシール材を設けることも好ましい。特に、この場合において、この３箇所であれば、シール材設置位置Ｐ（１）、シール材設置位置Ｐ（２）、シール材設置位置Ｐ（３）の順で好ましい。なお、シール材としては乾式のパッキンや発泡ゴム等を含めて、樹脂固形体のみならず樹脂発泡体も用いること
ができ、これらをシール材設置位置Ｐ（１）等に設けるにあたっては接着剤のみならずホットメルト処理により行わせることもできる。
【００４５】
このようなシール材を用いても、このようなシール材を用いなくても、本実施の形態に係る建築板１０００においては、空間Ｓ（１）および空間Ｓ（２）は、建築物の外側から内側へ浸入することを抑制することができたり、オスメス連結構造５００に水分が滞留することを抑制することができたりする点で、特に好ましい。この水分浸入抑制に関しては、水分は図６（Ｂ）に矢示Ｗで示すように建築物の外側から内側へ浸入するために、この矢示Ｗで示される水分の浸入経路を断ち切る箇所に空間やシール材を設けることが好ましい。なお、図６（Ａ）に示すように、この建築板１０００と建築物（構築物を含む）とを接合する接合部材Ｂは、水分の浸入経路を示す矢示Ｗの矢示先端よりも建築物の内側に設けることが好ましい。本実施の形態においては、接合部材Ｂは、メス側連結部２００の水平折り返し下面２８０であって、水平折り返し面１６０よりも建築物の内側（反転面２９０側）に設けられて、建築板１０００と建築物（構築物を含む）とが接合されている。なお、水分が接合部材Ｂよりも建築物の内側まで流入した場合であっても、反転面２９０により水分が堰き止められ、水分が建築物内に浸入するのを抑制することができる。
【００４６】
さらに、オス側連結部１００とメス側連結部２００とを用いて建築板１０００どうしを連結した後においては、オス側連結部１００において、オス側第一屈曲部１２０により形成される角度β（１）とオス側第二屈曲部１４０により形成される角度β（２）とが異なり、メス側連結部２００において、メス側第一屈曲部２３０により形成される角度β（３）とメス側第二屈曲部２５０により形成される角度β（４）とが異なる。このため、嵌合する２つの屈曲部の角度が異なり嵌合部が外れにくいために（角度が異なるので２つの屈曲部が同時に外れる可能性が低いために）、建築板１０００どうしを連結した後において連結構造がさらに安定する。特に、角度β（１）（角度β（３））よりも角度β（２）（角度β（４））、即ち、第一傾斜面１１０よりもオス側第二屈曲部１４０の第七傾斜面１４２の方が傾斜角度基準線に対する角度が大きい方が好ましい。この場合、建築板１０００の短手方向に沿って外力が加わっても、第七傾斜面１４２がメス側第二屈曲部２５０の第八傾斜面２５２に当接されて進路を阻まれるため、オスメス連結構造５００が保持され易くなる。
【００４７】
さらに、オス側連結部１００とメス側連結部２００とを用いて建築板１０００どうしを連結する際においては、メス側連結部２００が備えるＵ字状のメス側ガイド部Ｕに、オス側連結部１００が備えるオス側ガイド部Ｇが挿入されるために、第二傾斜面２２０に第一傾斜面１１０を沿わせて滑らせるようにして、オス側第一屈曲部１２０をメス側第一屈曲部２３０へ挿入させて嵌合させるとともに、メス側第二屈曲部２５０をオス側第二屈曲部１４０へ挿入させて嵌合させることを容易に行なうことができる。より詳しくは、建築板１０００どうしを連結する際に、オス側連結部１００が備えるオス側ガイド部Ｇがメス側ガイド部Ｕに案内されるので、建築板１０００どうしを連結する施工時における作業性（施工性）が容易である。
【００４８】
また、オス側連結部１００とメス側連結部２００とを用いて建築板１０００どうしを連結した後においては、メス側連結部２００が備えるＵ字状のメス側ガイド部Ｕに、オス側連結部１００が備えるオス側ガイド部Ｇが挿入されているために、建築板１０００どうしを連結した後における連結構造の外れ止め機能を実現することができる。特に、屋外側方向への外れ止めに有効に機能する。
以上のようにして、本発明の実施の形態に係る建築板１０００によると、建築物（構築物を含む）に用いる建築板であって、連結構造が安定するとともに、連結部における外装面（化粧面）が平坦な場合であっても複数の建築板を張り上げて形成した外装であることが外観上判りづらく、オス側連結部１００（雄型連結部）とメス側連結部２００（雌型連結部）の嵌合部の施工性が容易で、かつ、施工後は嵌合部が外れにくく、防水性が向上する、建築板を提供することができる。
【００４９】
＜建築板の施工例＞
以上のような構造を備え、上述した作用効果を発現しうる本実施の形態に係る建築板の施工例について、図７〜図１５を参照して説明する。なお、図７〜図１１が本実施の形態に係る建築板１０００または建築板１０５０を屋根材として使用する態様を説明するための図であって、図１２〜図１５が本実施の形態に係る建築板１０００または建築板１０５０を外壁材として使用する態様を説明するための図である。上述したように、本発明に係る建築板の使用部位は外壁にも屋根にも（その他にも）限定されるものではないが、以下においては、本実施の形態に係る建築板を屋根材または外壁材として使用する態様について説明する。また、これらの使用態様を説明するための図７および図１２においては、斜視と断面とが１図に混在しており、斜視図で示す部分と断面図で示す部分とを注記している。
【００５０】
また、以下の説明において、本実施の形態に係る建築板１０００または建築板１０５０を使用したことにより、（１）連結構造が安定する作用効果、（２）連結部における外装面（化粧面）が平坦な場合であっても複数の建築板を張り上げて形成した外装であることが外観上判りづらく美しい作用効果、（２）オス側連結部１００とメス側連結部２００の嵌合部の施工性が容易である作用効果、（４）施工後は嵌合部が外れにくい作用効果、（５）施工後は防水性が向上する作用効果については、上述した通りであるので、繰り返して説明しない場合がある。
図７〜図１１を参照して、本実施の形態に係る建築板１０５０を屋根材として使用する場合について説明する。なお、本実施の形態に係る建築板１０５０を屋根材として使用する場合には、原則的に建築板の長尺方向（矩形状における長手方向）は垂直方向（縦方向）で縦葺きとなる。なお、本発明に係る建築板の適用から横葺きを排除するものではない。
【００５１】
・屋根材として使用態様（その１）
図７に示すように、野地板６００と垂木６０２と下葺材（ルーフィング）６０４とを含んで構成される建築物の屋根部分に、外装面１１００の表面がフラットな形状（平坦な形状）の建築板１０５０を図示した方向（縦葺き）で設置する。この場合において、建築板１０５０のオスメス連結構造５００のメス側連結部２００の水平折り返し下面２８０において、接合部材Ｂにより、この建築板１０５０と建築物とが接合されている。より詳しくは、下葺材６０４とともに野地板６００とメス側連結部２００の水平折り返し下面２８０とが接合部材Ｂにより接合されている。このようにして本実施の形態に係る建築板１０５０を屋根材として使用すると、フラットな面（平坦な面）で構成される屋根面を実現することができる。
・屋根材として使用態様（その２）
次に、図７に示す屋根の中央部ではなく、屋根の端部（たとえば切妻屋根の妻側（棟の両端部）の端部であるけらば）に、本実施の形態に係る建築板１０５０を屋根材として使用する場合を図８を参照して説明する。より詳しくは、オス側連結部１００を備える建築板１０５０と、メス側連結部２００を備える役物（けらば水切）２０５０とが用いられて、建築板１０５０が備えるオス側連結部１００と役物（けらば水切）２０５０が備えるメス側連結部２００とが連結される。
【００５２】
図８に示すように、野地板７００と垂木７０２と増張り下葺材（ルーフィング）７０６と下葺材（ルーフィング）７０８とのぼり木７１０（野地板７００とのぼり木７１０とはのぼり木固定用釘７２０により接合）と破風板７１２と化粧板７１４とを含んで構成される建築物の屋根部分（けらば）に、外装面１１００の表面がフラットな形状（平坦な形状）の建築板１０５０および役物（けらば水切）２０５０を図示した方向（縦葺き）で設置する。この場合において、役物２０５０のオスメス連結構造５００のメス側連結部２００の水平折り返し下面２８０において、接合部材Ｂにより、この役物２０５０と建築物とが接合されている。より詳しくは、増張り下葺材７０６および下葺材７０８とともに野地板７００とメス側連結部２００の水平折り返し下面２８０とが接合部材Ｂにより接合されている。増張り下葺材７０６により、のぼり木７１０が水分で傷むのを抑制することができる。また、この役物２０５０とのぼり木７１０とは役物固定用釘７２２により接合されている。また、役物２０５０はメス側連結部２００の上方に位置する庇部２０５４を備えて
おり、オスメス連結構造５００を平面視において覆っているため、オスメス連結構造５００に直接雨がかかりにくくなり防水性が向上するとともに、オスメス連結構造５００が見えにくくなり意匠性が向上する。このようにして本実施の形態に係る（オスメス連結構造５００を備える）建築板１０５０および役物２０５０を屋根のけらばに使用すると、けらばにおいて建築板１０５０どううしのオスメス連結構造５００と同様の施工手順で施工することができ、フラットな面（平坦な面）で構成される屋根面を実現することができる。
【００５３】
・屋根材として使用態様（その３）
次に、図８に示す屋根のけらばであって（図８に示す構造を簡略化して）、本実施の形態に係る建築板１０５０を屋根材として使用する場合を図９を参照して説明する。なお、図９において、図８と同じ構成については同じ符号を付しており、その構造および作用は同じである。より詳しくは、オス側連結部１００を備える建築板１０５０を用いるが、メス側連結部２００を備えない役物３０５０が用いられる。役物３０５０がメス側連結部２００を備えないので、オスメス連結構造５００を構成するものではない。
【００５４】
図９に示すように、野地板７００と垂木７０２と増張り下葺材（ルーフィング）７０６と下葺材（ルーフィング）７０８とのぼり木７１０（野地板７００とのぼり木７１０とはのぼり木固定用釘７２０により接合）と破風板７１２と化粧板７１４とを含んで構成される建築物の屋根部分（けらば）に、外装面１１００の表面がフラットな形状（平坦な形状）の建築板１０５０および役物（けらば水切）３０５０を図示した方向（縦葺き）で設置する。この場合において、役物３０５０の（オスメス連結構造５００のメス側連結部２００の水平折り返し下面２８０に相当する部位である）所定の部位において、接合部材Ｂにより、この役物３０５０と建築物とが接合されている。より詳しくは、増張り下葺材７０６および下葺材７０８とともに野地板７００と役物３０５０とが接合部材Ｂにより接合されている。また、この役物３０５０とのぼり木７１０とは役物固定用釘７２２により接合されている。また、役物３０５０は水平折り返し下面２８０に相当する部位の上方に位置する庇部３０５４を備えており、オス側連結部１００を平面視において覆っているため、オス側連結部１００に直接雨がかかりにくくなり防水性が向上するとともに、オス側連結部１００が見えにくくなり意匠性が向上する。このようにして建築板１０５０および役物３０５０を屋根のけらばに使用すると、容易にかつ簡易にけらばを施工することができる。
【００５５】
・屋根材として使用態様（その４）
次に、図９に示す屋根のけらばであって（図９に示す構造において役物３０５０に替えて建築板１０５０を押さえる返し部４０５２を備える役物４０５０を用いて）、本実施の形態に係る建築板１０５０を屋根材として使用する場合を図１０を参照して説明する。なお、図１０において、図８または図９とで同じ構成については同じ符号を付しており、その構造および作用は同じである。より詳しくは、図９と同様にオス側連結部１００を備える建築板１０５０を用いるが、メス側連結部２００を備えない役物４０５０が用いられる。役物４０５０が役物３０５０と同様にメス側連結部２００を備えないので、オスメス連結構造５００を構成するものではない。
【００５６】
図１０（Ａ）に示すように、野地板７００と垂木７０２と増張り下葺材（ルーフィング）７０６と下葺材（ルーフィング）７０８とのぼり木７１０（野地板７００とのぼり木７１０とはのぼり木固定用釘７２０により接合）と破風板７１２と化粧板７１４とを含んで構成される建築物の屋根部分（けらば）に、外装面１１００の表面がフラットな形状（平坦な形状）の建築板１０５０および役物（けらば水切）４０５０を図示した方向（縦葺き）で設置する。この場合において、役物４０５０の（オスメス連結構造５００のメス側連結部２００の水平折り返し下面２８０に相当する部位である）所定の部位において、接合部材Ｂにより、この役物４０５０と建築物とが接合されている。より詳しくは、増張り下葺材７０６および下葺材７０８とともに野地板７００と役物４０５０とが接合部材Ｂにより接合されている。また、この役物４０５０とのぼり木７１０とは役物固定用釘７２２により接合されている。さらに、役物４０５０は、役物３０５０の構成に加えて、図１０（Ａ）における領域１０Ｂを拡大した図１０（Ｂ）に示すように返し部４０５２を備える。この返し部４０５２にオス側連結部１００の延長面１７０が挿入されて押さえられることにより、建築板１０５０が他の固定治具を用いることなく固定される。なお、図１０（Ｂ）においては、理解しやすいように返し部４０５２の間隙を延長面１７０の厚みよりも大きく記載しているが、この間隙は返し部４０５２にオス側連結部１００の延長面１７０を押さえて建築板１０５０を固定できるだけの（図示するよりも）狭い間隙である。また、役物４０５０は水平折り返し下面２８０に相当する部位の上方に位置する庇部４０５４を備えており、オス側連結部１００を平面視において覆っているため、オス側連結部１００に直接雨がかかりにくくなり防水性が向上するとともに、オス側連結部１００が見えにくくなり意匠性が向上する。このようにして建築板１０５０および役物４０５０を屋根のけらばに使用すると、容易にかつ簡易にけらばを施工することができる。
【００５７】
・屋根材として使用態様（その５）
次に、図１１を参照して、本発明に係る建築板（オスメス連結構造５００を備える）を屋根材（屋根の部位は限定されない）として使用する場合に好適な水返しについて説明する。図１１に示すように、オスメス連結構造５００のオス側連結部１００の延長面１７０に水切りＫ（１）、および／または、オスメス連結構造５００のメス側連結部２００の水平折り返し下面２８０に水切りＫ（２）を設ける。この水切りは、建築物の外側から内側への水分の浸入を阻害するものであればよく、建築板と別体の樹脂等でできた部材を接着して構成したり、建築板を形成する金属製薄板材を加工して凸部を形成することにより構成したりすることで実現される。なお、メス側連結部２００の水平折り返し下面２８０に水切りＫ（２）を設ける場合には、接合部材Ｂはメス側連結部２００の水平折り返し下面２８０であって（必要に応じて白抜き矢示で示すように水平折り返し下面２８０を延長して）、水切りＫ（２）よりも建築物の内側（反転面２９０側）に設けられて、建築板と建築物（構築物を含む）とが接合されている。このように水切りを設けた建築板は、防水性をさらに向上させることができる。即ち、水切りＫ（１）および／または水切りＫ（２）により接合部材Ｂにまで水分が流入するのを抑制し、接合部材Ｂの周囲から水分が浸み込むのを防止することができる。
【００５８】
図１２〜図１５を参照して、本実施の形態に係る建築板１０００を外壁材として使用する場合について説明する。なお、本実施の形態に係る建築板１０００を外壁材として使用する場合には、建築板の長尺方向（矩形状における長手方向）は、図１２〜図１４に示す水平方向（横方向）である横張りであっても、図１５に示す垂直方向（縦方向）である縦張りであっても構わない。
【００５９】
・外壁材として使用態様（その１）
図１２に示すように、縦胴縁８００と防水紙（透湿防水シート）８０４とを含んで構成される建築物の外壁部分に、外装面１１００の表面が凹凸形状（柄模様であっても構わない）の建築板１０００を図示した方向（建築板の長尺方向が水平方向（横方向））で設置する。この場合において、建築板１０００のオスメス連結構造５００のメス側連結部２００の水平折り返し下面２８０において、接合部材Ｂにより、この建築板１０００と建築物とが接合されている。より詳しくは、縦胴縁８００とメス側連結部２００の水平折り返し下面２８０とが接合部材Ｂにより接合されている。このようにして本実施の形態に係る建築板１０００を外壁材として使用すると、連結部が目立たないで表面意匠の不連続性が目立たないので美しい外壁面を実現することができる。
【００６０】
・外壁材として使用態様（その２）
次に、図１２に示す外壁の中央部ではなく、外壁の下端部に、本実施の形態に係る建築板１０００を外壁材として使用する場合を図１３を参照して説明する。より詳しくは、オス側連結部１００を備える建築板１０００と、メス側連結部２００を備える役物（スターター金具）５０５０とが用いられて、建築板１０００が備えるオス側連結部１００と役物（スターター金具）５０５０が備えるメス側連結部２００とが連結される。
【００６１】
図１３に示すように、縦胴縁９００と防水紙（透湿防水シート）９０４と土台水切り９０６と基礎９０８と基礎パッキン９１０と土台９１２と柱（または間柱）９１４とを含んで構成される建築物の外壁下端部分に、外装面１１００の表面が凹凸形状（柄模様であっても構わない）建築板１０００および役物（スターター金具）５０５０を図示した方向（建築板の長尺方向が水平方向（横方向））で設置する。この場合において、役物５０５０のオスメス連結構造５００のメス側連結部２００の水平折り返し下面２８０において、接合部材（スターター金具固定用釘）Ｂにより、この役物５０５０と建築物とが接合されている。より詳しくは、縦胴縁９００とメス側連結部２００の水平折り返し下面２８０とが接合部材Ｂにより接合されている。このようにして本実施の形態に係る役物５０５０を外壁下端部分のスターター金具として使用すると、連結部が目立たないで表面意匠の不連続性が目立たないので美しい外壁下端面を実現することができる。また、建築板１０００どううしのオスメス連結構造５００と同様の施工手順で施工することができる。
【００６２】
・外壁材として使用態様（その３）
次に、図１３に示す外壁の下端であって（図１３に示す構造を簡略化して）、本実施の形態に係る建築板１０００を外壁材として使用する場合を図１４を参照して説明する。なお、図１４において、図１３とで同じ構成については同じ符号を付しており、その構造および作用は同じである。より詳しくは、オス側連結部１００を備える建築板１０００を用いるが、メス側連結部２００を備えない役物（スターター金具）６０５０が用いられる。役物６０５０がメス側連結部２００を備えないので、オスメス連結構造５００を構成するものではない。
【００６３】
図１４に示すように、縦胴縁９００と防水紙（透湿防水シート）９０４と土台水切り９０６と基礎９０８と基礎パッキン９１０と土台９１２と柱（または間柱）９１４とを含んで構成される建築物の外壁下端部分に、外装面１１００の表面が凹凸形状（柄模様であっても構わない）建築板１０００および役物（スターター金具）６０５０を図示した方向（建築板の長尺方向が水平方向（横方向）：横張り）で設置する。この場合において、役物６０５０の（オスメス連結構造５００のメス側連結部２００の水平折り返し下面２８０に相当する部位である）所定の部位において、接合部材Ｂにより、この役物６０５０と建築物とが接合されている。より詳しくは、縦胴縁９００と役物６０５０とが接合部材（スターター金具固定用釘）Ｂにより接合されている。また、この役物６０５０には水抜き孔６０５２が設けられている。なお、役物６０５０の下面を屋外側下方にわずかに傾斜させ、その下端付近に水抜き孔６０５２を設けることで、より排水しやすくなる。このようにして建築板１０００および役物６０５０を外壁下端部分のスターター金具として横張りで使用すると、容易にかつ簡易に外壁下端を施工することができる。
【００６４】
・外壁材として使用態様（その４）
次に、図１４に示す外壁材の使用態様において、横張りを縦張りに変更したて、本実施の形態に係る建築板１０００を外壁材として使用する場合を図１５を参照して説明する。なお、図１５において、図１３または図１４と同じ構成については同じ符号を付しており、その構造および作用は同じである。より詳しくは、オス側連結部１００を備える建築板１０００を用いるが、メス側連結部２００を備えない役物（スターター金具）６０５０が用いられる。役物６０５０がメス側連結部２００を備えないので、オスメス連結構造５００を構成するものではない。
【００６５】
図１５に示すように、横胴縁９０２と防水紙（透湿防水シート）９０４と土台水切り９０６と基礎９０８と基礎パッキン９１０と土台９１２と柱（または間柱）９１４とを含んで構成される建築物の外壁下端部分に、外装面１１００の表面が凹凸形状（柄模様であっても構わない）の建築板１０００および役物（スターター金具）６０５０を図示した方向（建築板の長尺方向が垂直方向（縦方向）：縦張り）で設置する。この場合において、役物６０５０の所定の部位において、接合部材Ｂにより、この役物６０５０と建築物とが接合されている。より詳しくは、横胴縁９０２と役物６０５０とが接合部材（スターター金具固定用釘）Ｂにより接合されている。また、この役物６０５０には水抜き孔６０５２が設けられている。なお、役物６０５０の下面を屋外側下方にわずかに傾斜させ、その下端付近に水抜き孔６０５２を設けることで、より排水しやすくなる。このようにして建築板１０００および役物６０５０を外壁下端部分のスターター金具として縦張りで使用すると、容易にかつ簡易に外壁下端を施工することができる。
【００６６】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６７】
本発明は、建築物（構築物を含む）に用いる建築板に好ましく、外装面の端部にオスメス連結構造を有する矩形状の建築板の連結構造を安定させる等の点で特に好ましい。
【符号の説明】
【００６８】
１００  オス側連結部
１１０  第一傾斜面
１２０  オス側第一屈曲部
１３０  第三傾斜面
１４０  オス側第二屈曲部
１５０  第五傾斜面
２００  メス側連結部
２２０  第二傾斜面
２３０  メス側第一屈曲部
２４０  第四傾斜面
２５０  メス側第二屈曲部
２６０  第六傾斜面
５００  オスメス連結構造
１０００  建築板
１１００  外装面
【図１】
2019163656.tif 000003
【図２】
2019163656.tif 000004
【図３】
2019163656.tif 000005
【図４】
2019163656.tif 000006
【図５】
2019163656.tif 000007
【図６】
2019163656.tif 000008
【図７】
2019163656.tif 000009
【図８】
2019163656.tif 000010
【図９】
2019163656.tif 000011
【図１０】
2019163656.tif 000012
【図１１】
2019163656.tif 000013
【図１２】
2019163656.tif 000014
【図１３】
2019163656.tif 000015
【図１４】
2019163656.tif 000016
【図１５】
2019163656.tif 000017